(57)【要約】【課題】設置スペースに制約がなく、印刷時の騒音が少ない孔版印刷装置を提供する。【解決手段】孔版印刷装置１の筐体２は正面側に連続した開口３を有する。筐体の最上部H1にはスキャナーユニット４が設けられる。開口に臨む筐体の上段部H2には製版ユニット９と廃版ユニット10が引き出し可能に設けられてカバー１１で覆われ、筐体の中段部Ｍには印刷ユニット15と排紙台ユニット16が引き出し可能に設けられてカバー20で覆われ、筐体の下段部L1,L2 には給紙ユニット21,22 が引き出し可能に設けられてカバー30,30 で覆われる。全機構が筐体内にあるので、外形がシンプルで凹凸が少なく、印刷時の騒音が小さい。メンテナンス対象のユニットのみを該当カバーを開いて筐体外に引き出せる。【選択図】図１１
0003132890.tif 000002
【実用新案登録請求の範囲】
【請求項１】
内部機構にアクセスするための連続した開口が正面側の最上部を除く部分に設けられた筐体と、
前記筐体の最上部に設けられ、その上面には開閉可能とされた原稿押さえ板を有し、前記上面に載置された原稿を読み取って画像データを出力するスキャナーユニットと、
前記開口を経て前記筐体の外にスライド機構で引き出し可能となるように、前記スキャナーユニットの下方において前記開口に臨んで前記筐体内に設けられ、前記画像データに従って孔版原紙に原稿画像を形成する製版ユニットと、
前記開口を経て前記筐体の外にスライド機構で引き出し可能となるように、前記製版ユニットの隣部において前記開口に望んで前記筐体内に設けられ、使用済みの孔版原紙を廃棄する廃版ユニットと、
前記開口を経て前記筐体の外にスライド機構で引き出し可能となるように、前記製版ユニット及び前記廃版ユニットよりも下方において前記開口に臨んで前記筐体内に設けられ、製版された孔版原紙を外周面に巻き付けて回転駆動される印刷ドラムを有する印刷ユニットと、
前記開口を経て前記筐体の外にスライド機構で引き出し可能となるように、前記印刷ユニットから印刷済みの印刷用紙が排出される側である前記印刷ユニットの隣部において前記開口に望んで前記筐体内に設けられ、前記印刷ユニットから排出された画像が形成された印刷用紙を受け入れる排紙台ユニットと、
前記開口を経て前記筐体の外にスライド機構で引き出し可能となるように、前記印刷ユニット及び前記排紙台ユニットよりも下方において前記開口に臨んで前記筐体内に設けられ、前記印刷ユニットに印刷用紙を供給する給紙ユニットと、
前記筐体の前記開口に開閉自在に設けられ、前記製版ユニットと、前記廃版ユニットと、前記印刷ユニットと、前記排紙台ユニットと、前記給紙ユニットの各ユニットを少なくとも１ユニット毎に覆って前記開口を防音状態に閉止する複数のカバーと、
を備えることを特徴とする孔版印刷装置。
【請求項２】
垂直な回転軸によって一端部を回動可能に軸支された状態で前記筐体の前記最上部の前記スキャナーユニットが設けられていない部分の内部に収納され、前記回転軸を中心とした回動によって前記筐体の前記最上部の外部に引き出し可能であり、その上面に操作用の機器が配置されてなる操作パネルを備えたことを特徴とする請求項１記載の孔版印刷装置。
【請求項３】
前記カバーが、
前記筐体の開口の上部にヒンジを介して回動可能に取り付けられ、前記筐体内に収納された前記製版ユニットと前記廃版ユニットを覆って前記開口の上部を閉止する第１のカバーと、
前記筐体の開口の中央部にヒンジを介して回動可能に取り付けられ、前記筐体内に収納された前記印刷ユニットと前記排紙台ユニットを覆って前記開口の中央部を閉止する第２のカバーと、
前記筐体の開口の下部において前記給紙ユニットの前面側に取り付けられ、前記給紙ユニットを前記筐体内に収納した場合には前記給紙ユニットを覆って前記開口の下部を閉止し、前記給紙ユニットを前記筐体内から外に引き出した場合には前記給紙ユニットと共に移動して前記筐体の前記開口を開放する第３のカバーと、
を備えることを特徴とする請求項２記載の孔版印刷装置。
【考案の詳細な説明】
【技術分野】
【０００１】
本考案は、給紙台や排紙台を含むすべての機構が筐体の内部にコンパクトに配置・収納されているために狭いスペースにも設置可能であり、また印刷時の騒音が小さく、さらに筐体内の機構の必要な部分だけを筐体外に引き出してメンテナンス等の作業を行うことができるために作業性の良好な孔版印刷装置に関するものである。
【背景技術】
【０００２】
従来の一般的な孔版印刷装置は、例えば下記特許文献１に示されているように、孔版原紙に画像を製版する製版部、回転する印刷ドラムを備えた印刷部、また使用済みの孔版原紙を収納する廃版部等の各機構が、本体である筐体の内部に収納されている。また給紙部は、印刷用紙が搬送される方向で見た場合、筐体の前方側の外面に設けられており、排紙部は筐体の後方側の外面に設けられている。そして、給紙部から給紙機構にて送り出された印刷用紙は、筐体の前面側に設けられた開口から筐体内に入って印刷部で印刷され、搬送機構で搬送されて筐体の後方側に設けられた開口から筐体外に排出され、前記排紙部に積み重ねられていく。また、消耗品の補給や修理、点検等の目的で筐体の内部の機構に接近するための構造として、筐体の正面側は開閉可能な１枚の大型のフロントカバーで覆われている。
【特許文献１】特開２００５−５３２０９号公報
【考案の開示】
【考案が解決しようとする課題】
【０００３】
従来の孔版印刷装置によれば、次のような問題があった。
（１）給紙台及び排紙台が孔版印刷装置の本体である筐体の外側に配置されているため、装置全体としての平面投影面積が大きく、設置スペースや設置場所が制約される等の課題があった。
（２）消耗品の補給や修理、点検等の目的で筐体の内部の機構に接近するため、筐体の正面側は開閉可能な１枚の大型のフロントカバーで覆われているが、これを開くためには筐体の正面側に大きなフリースペースが必要であり、この点においても設置スペースや設置場所が制約される等の課題があった。
（３）印刷部が筐体の出口側の開口を介して外部に露出しているため、印刷時の騒音が大きく、印刷中は騒音のために同室内で電話が使用できない程であった。
（４）筐体の外側に排紙台があるため、風の影響によって排紙乱れの問題が生じることがあった。
【０００４】
本考案は上述した課題を解決するためになされたものであり、コンパクトな構成であるとともに内部機構を覆う筐体のカバーが開放時にスペースをとらないため、設置スペースや設置場所に制約がなく、印刷時の騒音が少なく、風の影響によって排紙乱れの問題も生じない使い勝手に優れた孔版印刷装置を提供することを目的としている。
【課題を解決するための手段】
【０００５】
請求項１に記載された孔版印刷装置は、
内部機構にアクセスするための連続した開口が正面側の最上部を除く部分に設けられた筐体と、
前記筐体の最上部に設けられ、その上面には開閉可能とされた原稿押さえ板を有し、前記上面に載置された原稿を読み取って画像データを出力するスキャナーユニットと、
前記開口を経て前記筐体の外にスライド機構で引き出し可能となるように、前記スキャナーユニットの下方において前記開口に臨んで前記筐体内に設けられ、前記画像データに従って孔版原紙に原稿画像を形成する製版ユニットと、
前記開口を経て前記筐体の外にスライド機構で引き出し可能となるように、前記製版ユニットの隣部において前記開口に望んで前記筐体内に設けられ、使用済みの孔版原紙を廃棄する廃版ユニットと、
前記開口を経て前記筐体の外にスライド機構で引き出し可能となるように、前記製版ユニット及び前記廃版ユニットよりも下方において前記開口に臨んで前記筐体内に設けられ、製版された孔版原紙を外周面に巻き付けて回転駆動される印刷ドラムを有する印刷ユニットと、
前記開口を経て前記筐体の外にスライド機構で引き出し可能となるように、前記印刷ユニットから印刷済みの印刷用紙が排出される側である前記印刷ユニットの隣部において前記開口に望んで前記筐体内に設けられ、前記印刷ユニットから排出された画像が形成された印刷用紙を受け入れる排紙台ユニットと、
前記開口を経て前記筐体の外にスライド機構で引き出し可能となるように、前記印刷ユニット及び前記排紙台ユニットよりも下方において前記開口に臨んで前記筐体内に設けられ、前記印刷ユニットに印刷用紙を供給する給紙ユニットと、
前記筐体の前記開口に開閉自在に設けられ、前記製版ユニットと、前記廃版ユニットと、前記印刷ユニットと、前記排紙台ユニットと、前記給紙ユニットの各ユニットを少なくとも１ユニット毎に覆って前記開口を防音状態に閉止する複数のカバーと、
を備えることを特徴としている。
【０００６】
請求項２に記載された孔版印刷装置は、請求項１記載の孔版印刷装置において、
垂直な回転軸によって一端部を回動可能に軸支された状態で前記筐体の前記最上部の前記スキャナーユニットが設けられていない部分の内部に収納され、前記回転軸を中心とした回動によって前記筐体の前記最上部の外部に引き出し可能であり、その上面に操作用の機器が配置されてなる操作パネルを備えたことを特徴としている。
【０００７】
請求項３に記載された孔版印刷装置は、請求項２記載の孔版印刷装置において、
前記カバーが、
前記筐体の開口の上部にヒンジを介して回動可能に取り付けられ、前記筐体内に収納された前記製版ユニットと前記廃版ユニットを覆って前記開口の上部を閉止する第１のカバーと、
前記筐体の開口の中央部にヒンジを介して回動可能に取り付けられ、前記筐体内に収納された前記印刷ユニットと前記排紙台ユニットを覆って前記開口の中央部を閉止する第２のカバーと、
前記筐体の開口の下部において前記給紙ユニットの前面側に取り付けられ、前記給紙ユニットを前記筐体内に収納した場合には前記給紙ユニットを覆って前記開口の下部を閉止し、前記給紙ユニットを前記筐体内から外に引き出した場合には前記給紙ユニットと共に移動して前記筐体の前記開口を開放する第３のカバーと、
を備えることを特徴としている。
【考案の効果】
【０００８】
請求項１に記載された本考案の孔版印刷装置によれば、従来は孔版印刷装置の本体である筐体の外側に露出して取り付けられていた給紙ユニットや排紙台ユニットを筐体内に収納し、さらに加えてこれら給紙ユニット及び排紙台ユニットを、印刷ユニットとの関係で用紙搬送機能上最も適した位置に配置するとともに、スキャナーユニット、製版ユニット、廃版ユニットも含めたこれら各機能ユニットを全体として縦型のコンパクトな構成で空間的な無駄なく筐体内に配置・収納したため、装置全体としての平面投影面積が小さい省スペース効果が得られ、設置スペースや設置場所が制約される等の課題を解決することができた。
【０００９】
さらに、本考案の孔版印刷装置によれば、消耗品の補給や修理、点検等の目的で筐体の内部の機構に接近するため、筐体の正面側の開口を開閉可能なカバーで覆っている点は従来と共通しているが、本考案における該カバーは、従来のような１枚の大型のフロントカバーではなく、筐体内の各機能ユニットごとに個別に設けられた複数のカバーである。そして、各機能ユニットは必要に応じて筐体の開口から手前側にスライド機構で引き出すことができる。従って、本考案の孔版印刷装置によれば、目的に応じて必要な機能ユニット専用の比較的小型のカバーを開いて当該部分だけで筐体の開口を開放状態とし、そこから当該機能ユニットのみを手前にスライドさせて筐体外に引き出すことができる。従って、不必要に大きなフロントカバーを開閉させるために筐体の手前側に広いフリースペースを無駄に確保しておく必要がなく、この点においても設置スペースや設置場所が制約される等の課題が解決でき、併せて必要な機能ユニットのみを引き出して必要な作業を効率的に行うことができるという効果が得られる。
【００１０】
さらに、本考案の孔版印刷装置によれば、印刷ユニットは筐体の出口側の開口を介して外部に露出しておらず、給紙ユニット及び排紙台ユニット共に筐体の中に密封されているので、印刷時の騒音、すなわち給紙音、印刷時の騒音、そして排紙音がいずれも直接に筐体外に漏れる程度が少なく、従来に比べて非常に静かである。
【００１１】
さらに、本考案の孔版印刷装置によれば、上述したように筐体の内側に排紙台ユニットが収納されているため、排紙が風の影響を受けることがなく、風による排紙乱れの問題は生じない。
【００１２】
また、請求項２に記載された本考案の孔版印刷装置によれば、
筐体の最上部に設けられた操作パネルは、垂直な回転軸を中心とした回動動作により、水平方向に出没自在とされているので、操作用の機器等を操作することが必要なときだけ操作パネルを筐体外に引き出して使用し、使用しない時には筐体内に収納しておくことができる。
【００１３】
また、請求項３に記載された本考案の孔版印刷装置によれば、筐体の前面に設けられた開口を覆うカバーを上から順に並ぶ第１〜第３のカバーで構成し、第１のカバーを回動して製版ユニットと廃版ユニットにアクセスし、第２のカバを回動して印刷ユニットと排紙台ユニットにアクセスし、第３のカバーを手前に引いて給紙ユニットにアクセスすることができるようにしたので、最小限の大きさのカバーを開放操作することによって筐体の開口の必要な部分だけを開放して必要な内部機構にのみアクセスすることができる。
【考案を実施するための最良の形態】
【００１４】
以下、本考案を実施するために実用新案登録出願人が出願時点で最良と思う本考案の実施の形態を図１〜図１１を参照して説明する。
図１は本例の孔版印刷装置の外観斜視図、図２は原稿押さえ板を開放した本例の孔版印刷装置の外観斜視図、図３は操作パネルを筐体外に引き出した本例の孔版印刷装置の外観斜視図、図４は第１カバーを開放した本例の孔版印刷装置の外観斜視図、図５は第１カバーを開放して廃版ユニットを筐体外に引き出した本例の孔版印刷装置の外観斜視図、図６は外部廃版ボックス側から見た本例の孔版印刷装置の外観斜視図、図７は外部廃版ボックスを筐体から離れる方向にスライドさせた本例の孔版印刷装置の外観斜視図、図８は第２カバーを開放した本例の孔版印刷装置の外観斜視図、図９は第１カバー及び第２カバーを開放し印刷ユニットを筐体外に引き出した本例の孔版印刷装置の外観斜視図、図１０は下段の給紙ユニットを筐体外に引き出すことにより下段の第３カバーを開放した本例の孔版印刷装置の外観斜視図、図１１は本例の孔版印刷装置の内部機構概略図である。
【００１５】
図１に示すように、本例の孔版印刷装置１は、凹凸の少ない縦長箱型の筐体２を有しており、孔版印刷に必要な機構はすべて筐体２の内部に収納されて外側からは視認することができないコンパクトな全機構内蔵型であるとともに、後述するように必要な機構は必要な部分のカバーを開放して外部に引き出し可能であり、メンテナンス作業等にとって便利な構造となっている。
【００１６】
図１１に筐体２及び筐体２内に納められた内部機構の構造の大略を示す。筐体２は、その高さによって上から最上部Ｈ１、上段部Ｈ２、中段部Ｍ、第１下段部Ｌ１、第２下段部Ｌ２と５つの区画に分けられており、内部機構にアクセスするための連続した（つまり一つの）矩形の開口３が、正面側の最上部Ｈ１を除く部分の略全面に形成されている。この開口３中の各段の間には必ずしも格別の仕切があるわけではなく、従ってここで述べる各段部とは、後述するように、その内部に収納される機構の種類と、開口３の当該段部に相当する部分を個別に開閉するカバーの存在によって認識されるものである。
以下、本装置の構造を各段部ごとに説明する。
【００１７】
（１）最上部Ｈ１
図１１に示すように、前記筐体２の最上部Ｈ１には、原稿読取手段であるスキャナーユニット４が設けられている。図１乃至図２に示すように、このスキャナーユニット４は、筐体２の上面に設けられて原稿が載置される透明な読取板５と、この読取板５の下方に移動可能に設けられた図示しない読取素子とを有しており、読取板５の上には開閉自在の原稿押さえ板６が設けられている。前記読取板５に原稿を載置して原稿押さえ板６で原稿を押さえ、読取素子を作動させれば、原稿を読み取ることができ、読取素子が出力する画像データは図示しない制御部に出力されて後述する製版ユニットに送られる。
【００１８】
また、図１乃至図３に示すように、前記筐体２の最上部Ｈ１には、操作パネル７が設けられている。この操作パネル７は、前記筐体２の最上部Ｈ１の前記スキャナーユニット４が設けられていない部分の内部に収納されており、図示しない垂直な回転軸によって一端部を回動可能に筐体２に軸支されている。特に図３に示すように、使用時には、前記回転軸を中心とした回動によって前記筐体２の最上部Ｈ１の外部に引き出し可能であり、その上面に配置されている表示部８やスイッチ等の操作用の機器を使用者が操作することができる。
【００１９】
（２）上段部Ｈ２（上部）
図１１に示すように、筐体２の上段部Ｈ２には、製版ユニット９と廃版ユニット１０が開口３に望んで設けられている。
詳細は図示しないが、製版ユニット９は、交換可能なロール状の孔版原紙と、サーマルヘッドとプラテンローラの組合せ等からなる孔版原紙の製版手段を有しており、前記スキャナーユニット４が取得した前記画像データに従って孔版原紙に原稿画像を形成し、後述する印刷ドラム１７に提供することができる。一方、廃版ユニット１０は、後述する印刷ドラム１７から使用済みの孔版原紙を剥ぎ取って廃棄することができる。
【００２０】
図４に示すように、製版ユニット９と廃版ユニット１０が設けられた筐体２の開口３の上段部Ｈ２には、製版ユニット９と廃版ユニット１０を覆う横長矩形のカバー１１（第１のカバー）が設けられている。カバー１１は一短辺側をヒンジにより筐体２側に軸支されて揺動可能とされており、開口３の上段部Ｈ２のみを開閉することができる。
【００２１】
図５に示すように、製版ユニット９は詳細を図示しないスライド機構により筐体２の開口３から筐体２の前面側の外方に引き出し可能とされている。従って、ロール状の孔版原紙を交換したい場合や修理等の場合には、上段部Ｈ２のカバー１１だけを開いて製版ユニット９を筐体２の開口３の上段部Ｈ２から筐体２の外方に引き出すことができる。また、図示しないが、廃版ユニット１０も同様のスライド機構により筐体２の開口３から筐体２の前面側の外方に引き出し可能である。
【００２２】
従って、製版ユニット９（又は廃版ユニット１０）だけにアクセスしたい場合には、筐体２の前面の全面を１枚の大きな扉で開閉するのではなく、製版ユニット９の前面に対応する必要最小限の大きさに設定されたカバー１１だけを開けばよく、本装置の前面側に余計な空きスペースを設けておく必要がない。
【００２３】
なお、廃版ユニット１０は、廃棄した孔版原紙を筐体２内の廃版ボックス内に収納し、満杯になった場合等に筐体２外にスライドさせて取り出すこととしても良いし、図６及び図７に示す本例のように、筐体２の外側に薄型透明の廃版ボックス１２を設けておき、印刷ドラム１７から剥ぎ取った廃版を筐体２に設けた排出口１３から排出して収納するようにしてもよい。この廃版ボックス１２は、図７に示すように筐体２の側面に対して案内レール１４を以てスライド自在に構成されており、満杯になったことは見て分かるので、その場合にはスライドして筐体２から取り外し、中身の廃版を処分することができる。
【００２４】
（３）中段部Ｍ（中央部）
図１１に示すように、筐体２の中段部Ｍには、印刷ユニット１５と排紙台ユニット１６が開口３に望んで設けられている。
印刷ユニット１５は、製版された孔版原紙を外周面に巻き付けて回転駆動される印刷ドラム１７と、サクション機構を備えたプレスローラ装置１８とを有しており、後述する給紙ユニットから搬送経路１９を介して供給された印刷用紙を、印刷ドラム１７とプレスローラ装置１８の間に挟んで搬送しつつ、当該印刷用紙に画像を形成することができる。一方、排紙台ユニット１６は、前記印刷ユニット１５から印刷済みの印刷用紙が排出される側において、前記印刷ユニット１５から排出された印刷用紙を受け入れることができるように排紙方向の先方側が低い所定の角度で設けられている。
【００２５】
図８に示すように、印刷ユニット１５と排紙台ユニット１６が設けられた筐体２の開口３の中段部Ｍには、印刷ユニット１５と排紙台ユニット１６を覆う横長矩形のカバー２０（第２のカバー）が設けられている。カバー２０は一短辺側をヒンジにより筐体２側に軸支されて揺動可能とされており、開口３の中段部Ｍのみを開閉することができる。
【００２６】
図９に示すように、印刷ユニット１５は詳細を図示しないスライド機構により筐体２の開口３から筐体２の前面側の外方に引き出し可能とされている。従って、印刷ドラム１７の修理や別の色のインクの印刷ドラムに交換する等の場合には、中段部Ｍのカバー２０だけを開いて印刷ユニット１５を筐体２の中段部Ｍの開口３から筐体２の外方に引き出すことができる（なお、図９では、図示の便宜上、カバー１１も開いている。）。また、図示しないが、排紙台ユニット１６も同様のスライド機構により筐体２の開口３から筐体２の前面側の外方（すなわち、図において手前側）に引き出し可能であり、印刷が終了したらカバー２０を開いて排紙台ユニット１６を外に引き出し、印刷された印刷用紙を排紙台から取り出すことができる。
【００２７】
従って、印刷ユニット１５又は排紙台ユニット１６だけにアクセスしたい場合には、筐体２の前面の全面を１枚の大きな扉で開閉するのではなく、前記印刷ユニット１５に相対する必要最小限の大きさに設定されたカバー２０だけを開けばよく、本装置の前面側に余計な空きスペースを設けておく必要がない。
【００２８】
（４）下段部（下部）
図１１に示すように、筐体２の下段部は、上の第１下段部Ｌ１と下の第２下段部Ｌ２とに分かれており、第１給紙ユニット２１と第２給紙ユニット２２がそれぞれ開口３に望んで設けられている。
給紙ユニット２１，２２は、印刷用紙が積載される給紙トレイ２３と、印刷用紙を１枚ずつ順次取り出して搬送経路１９に送り出す取り出し手段２４とを有しており、前記印刷ユニット１５に印刷用紙を供給することができる。第１給紙ユニット２１と第２給紙ユニット２２には、サイズが異なる印刷用紙を収納して使い分けてもよいし、同じサイズを収納して収納量に余裕を持たせた使い方をしても良い。
【００２９】
なお、２つの下段部Ｌ１，Ｌ２から前記中段部Ｍにかけて設けられた搬送経路１９は、用紙の通路２５と、該通路に設けられた搬送ベルト２６と、該搬送ベルト２６に設けられて印刷用紙をベルトに負圧で保持する保持手段２７とを有しており、各給紙ユニット２１，２２からの搬送経路１９が１本に合流して印刷ユニット１５に至るように構成されている。
【００３０】
図１０に示すように、第１及び第２給紙ユニット２１，２２が設けられた筐体２の開口３の各下段部には、第１及び第２給紙ユニット２１，２２を覆う横長矩形のカバー３０，３０（第３のカバー）がそれぞれ設けられている。各カバー３０は第１及び第２給紙ユニット２１，２２の前面側に取り付けられており、各給紙ユニット２１，２２の筐体２外へ向けてのスライドに伴って移動可能とされており、開口３の各下段部Ｌ１，Ｌ２のみを開閉することができる。
【００３１】
すなわち、図１０に第１給紙ユニット２１が筐体２内に収納され、第２給紙ユニット２２が筐体２外に引き出された状態を示したように、各給紙ユニット２１，２２は詳細を図示しないスライド機構により筐体２の開口３から筐体２の前面側の外方に引き出し可能とされており、筐体２内に収納された状態では当該給紙ユニット２１，２２のカバー３０，３０が開口３の当該下段部Ｌ１，Ｌ２を閉止した状態にある。
【００３２】
給紙ユニット２１，２２に印刷用紙を補充したい場合には、必要な給紙ユニット２１，２２を引き出すことにより、当該給紙ユニット２１，２２のカバー３０，３０だけが開かれ、筐体２外に引き出された給紙ユニット２１，２２の給紙トレイ２３に印刷用紙を補給することができる。
【００３３】
従って、第１又は第２給紙ユニット２１，２２だけにアクセスしたい場合には、筐体２の前面の全面を１枚の大きな扉で開閉するのではなく、引き出し状とされた所望の給紙ユニット２１，２２及びカバー３０，３０だけを引いて開けばよく、本装置の前面側に余計な空きスペースを設けておく必要がない。
【００３４】
次に、本例の孔版印刷装置１による効果を説明する。
本例の孔版印刷装置１は、給紙ユニット２１，２２及び排紙台ユニット１６を含めたすべての機構を筐体２内に収納した構造であり、筐体２の前面側に共通の開口３を設けるとともに、この開口３を各ユニットの各位置に応じて分割された複数枚のカバー１１，２０，３０で開閉自在に覆い、使用時には筐体２に開口３が生じない構造としてある。
【００３５】
これに対し、従来の一般的な孔版印刷装置では、給紙ユニット及び排紙台ユニットは筐体の前面側と後面側の各外側に露出して設けられており、筐体内にある製版ユニットは筐体外の給紙ユニットから給紙を受け、また排紙台ユニットに向けて印刷用紙を排出するため、筐体の前後の各面にはそれぞれ開口が設けられている。このため、高速で回転駆動される印刷ドラムが発生する騒音は、筐体の開口から直接外に漏れ出ることとなり、また給紙音や排紙音も加わり、これら印刷時の騒音によって設置室内での会話が不可能になるほどであった。
【００３６】
ところが、本例の孔版印刷装置１によれば、上述した通り給紙ユニット２１，２２と排紙台ユニット１６と印刷ユニット１５は完全に筐体２内に収納され、当該筐体２には外部に対して開口した部分がないので、印刷中に発生する音（印刷音、給紙音、排紙音等）は筐体２内に閉じ込められて外部にほとんど漏れず、本装置が設置された部屋の内部は非常に静かである。
【００３７】
また、筐体２の開口３を覆う各カバー１１，２０，３０の内面に吸音材を貼り付ける等の防音手段を講じれば、さらに騒音は小さくなる。
【００３８】
また、本例の孔版印刷装置１によれば、排紙台ユニット１６が筐体２内にあるので、風の影響で排紙が乱れるという不都合が生じなくなった。
【００３９】
また、各ユニットごとにカバーを別々に設けたので、必要なユニットだけを筐体２内から手前に引き出して必要な作業を行うことができ、作業性が改善された。また、内部機構にアクセスするためにカバーを開閉する際のスペースを最小限にすることが可能となった。
【００４０】
また、本例の孔版印刷装置１はすべての機構を筐体２内に上下方向に並べて収納した構造であり、外への突出部もほとんど無いシンプルな外形であるため、底面積が小さく、設置スペースを必要最小限に抑える事が可能になるとともに、設置場所の制約も大幅に軽減され、例えば両サイドに壁等の障害物があっても設置可能である。
【図面の簡単な説明】
【００４１】
【図１】図１は本例の孔版印刷装置の外観斜視図である。
【図２】図２は原稿押さえ板を開放した本例の孔版印刷装置の外観斜視図である。
【図３】図３は操作パネルを筐体外に引き出した本例の孔版印刷装置の外観斜視図である。
【図４】図４は第１カバーを開放した本例の孔版印刷装置の外観斜視図である。
【図５】図５は第１カバーを開放して廃版ユニットを筐体外に引き出した本例の孔版印刷装置の外観斜視図である。
【図６】図６は外部廃版ボックス側から見た本例の孔版印刷装置の外観斜視図である。
【図７】図７は外部廃版ボックスを筐体から離れる方向にスライドさせた本例の孔版印刷装置の外観斜視図である。
【図８】図８は第２カバーを開放した本例の孔版印刷装置の外観斜視図である。
【図９】図９は第１カバー及び第２カバーを開放し印刷ユニットを筐体外に引き出した本例の孔版印刷装置の外観斜視図である。
【図１０】図１０は下段の給紙ユニットを筐体外に引き出すことにより下段の第３カバーを開放した本例の孔版印刷装置の外観斜視図である。
【図１１】図１１は本例の孔版印刷装置の内部機構概略図である。
【符号の説明】
【００４２】
１…孔版印刷装置
２…筐体
３…開口
４…スキャナーユニット
７…操作パネル
９…製版ユニット
１０…廃版ユニット
１１…第１のカバー
１２…廃版ボックス
１５…印刷ユニット
１６…排紙台ユニット
１７…印刷ドラム
１８…プレスローラ装置
２０…第２のカバー
２１…第１給紙ユニット
２２…第２給紙ユニット
Ｈ１…筐体の最上部
Ｈ２…筐体の上段部
Ｍ…筐体の中段部
Ｌ１…筐体の第１下段部
Ｌ２…筐体の第２下段部
【図１】
0003132890.tif 000003
【図２】
0003132890.tif 000004
【図３】
0003132890.tif 000005
【図４】
0003132890.tif 000006
【図５】
0003132890.tif 000007
【図６】
0003132890.tif 000008
【図７】
0003132890.tif 000009
【図８】
0003132890.tif 000010
【図９】
0003132890.tif 000011
【図１０】
0003132890.tif 000012
【図１１】
0003132890.tif 000013